(57)【要約】【課題】  容易に操作方法を理解することができる仮名文字入力装置を提供する。【解決手段】  タッチパネルと、制御部と、を備える仮名文字入力装置であって、前記制御部は、五十音のそれぞれの行を代表する仮名文字である代表文字を含む第１画像を前記タッチパネルに表示させ、前記タッチパネルに前記第１画像が表示されている場合に、前記第１画像に含まれる何れかの代表文字の表示領域に対するタッチが検出されると、前記何れかの代表文字を起点として、前記何れかの代表文字が代表する行に含まれる仮名文字を一列に配置した第２画像を、前記タッチパネルの前記第１画像より前面に表示させ、前記タッチパネルに前記第２画像が表示されている場合に、前記第２画像に含まれる何れかの仮名文字の表示領域で前記タッチパネルに対するタッチの解除が検出されると、前記何れかの仮名文字を入力文字として決定する。【選択図】  図５
2013232865.tif 000002
【特許請求の範囲】
【請求項１】
表示画面に対するタッチの有無およびタッチ位置を検出可能なタッチパネルと、
前記タッチパネルの表示画面を制御するとともに、前記タッチパネルから前記タッチの有無および前記タッチ位置を取得する制御部と、
を備える仮名文字入力装置であって、
前記制御部は、
五十音のそれぞれの行を代表する仮名文字である代表文字を含む第１画像を前記タッチパネルに表示させ、
前記タッチパネルに前記第１画像が表示されている場合に、前記第１画像に含まれる何れかの代表文字の表示領域に対するタッチが検出されると、前記何れかの代表文字を起点として、前記何れかの代表文字が代表する行に含まれる仮名文字を一列に配置した第２画像を、前記タッチパネルの前記第１画像より前面に表示させ、
前記タッチパネルに前記第２画像が表示されている場合に、前記第２画像に含まれる何れかの仮名文字の表示領域で前記タッチパネルに対するタッチの解除が検出されると、前記何れかの仮名文字を入力文字として決定することを特徴とする仮名文字入力装置。
【請求項２】
前記代表文字は、清音の行をそれぞれ代表する清音の仮名文字であり、
前記第２画像は、前記何れかの代表文字を起点として、前記何れかの代表文字が代表する清音の行に含まれる清音の仮名文字を一列に配置するとともに、前記何れかの代表文字が代表する清音の行に対応する濁音の行が存在する場合には、当該濁音の行に含まれる濁音の仮名文字を、それぞれ対応する清音の仮名文字に隣接するように一列に配置した画像であることを特徴とする請求項１に記載の仮名文字入力装置。
【請求項３】
前記代表文字は、「あ行」、「か行」、「さ行」、「た行」、「な行」、「は行」、「ま行」、「や行」、「ら行」、および「わ行」のそれぞれにおける「あ段」の仮名文字であり、
前記第２画像は、前記何れかの代表文字が代表する行に含まれる仮名文字を、「あ段」を起点として、「い段」、「う段」、「え段」、および「お段」の順に一列に配置した画像であることを特徴とする請求項１または請求項２に記載の仮名文字入力装置。
【請求項４】
表示画面に対するタッチの有無およびタッチ位置を検出可能なタッチパネルと、
前記タッチパネルの表示画面を制御するとともに、前記タッチパネルから前記タッチの有無および前記タッチ位置を取得して、文字を含む情報の入力を受け付けるタッチパネル制御部と、
前記タッチパネル制御部に入力された情報に基づいて、手続書類の印刷データを生成してプリンタに出力するプリンタ制御部と、
を備え、
前記タッチパネル制御部は、仮名文字の入力を受け付ける場合には、
五十音のそれぞれの行を代表する仮名文字である代表文字を含む第１画像を前記タッチパネルに表示させ、
前記タッチパネルに前記第１画像が表示されているときに、前記第１画像に含まれる何れかの代表文字の表示領域に対するタッチが検出されると、前記何れかの代表文字を起点として、前記何れかの代表文字が代表する行に含まれる仮名文字を一列に配置した第２画像を、前記タッチパネルの前記第１画像より前面に表示させ、
前記タッチパネルに前記第２画像が表示されているときに、前記第２画像に含まれる何れかの仮名文字の表示領域で前記タッチパネルに対するタッチの解除が検出されると、前記何れかの仮名文字を入力文字として決定することを特徴とする手続書類作成装置。
【請求項５】
前記手続書類は、入会申込書であり、
前記プリンタ制御部は、前記タッチパネル制御部に入力された情報に基づいて、前記入会申込書に記載される会員情報を記録したＱＲコードを生成し、前記ＱＲコードを含む前記印刷データを生成して前記プリンタに出力することを特徴とする請求項４に記載の手続書類作成装置。
【請求項６】
請求項５に記載の手続書類作成装置と、
前記プリンタによって印刷された前記入会申込書の前記ＱＲコードを読み取り、前記会員情報を取得して会員サーバに登録する会員登録装置と、
を備えることを特徴とする会員登録システム。
【請求項７】
表示画面に対するタッチの有無およびタッチ位置を検出可能なタッチパネルを用いて仮名文字を入力する仮名文字入力装置のプロセッサに、
五十音のそれぞれの行を代表する仮名文字である代表文字を含む第１画像を前記タッチパネルに表示させる第１表示処理と、
前記タッチパネルに前記第１画像が表示されている場合に、前記第１画像に含まれる何れかの代表文字の表示領域に対するタッチが検出されると、前記何れかの代表文字を起点として、前記何れかの代表文字が代表する行に含まれる仮名文字を一列に配置した第２画像を、前記タッチパネルの前記第１画像より前面に表示させる第２表示処理と、
前記タッチパネルに前記第２画像が表示されている場合に、前記第２画像に含まれる何れかの仮名文字の表示領域で前記タッチパネルに対するタッチの解除が検出されると、前記何れかの仮名文字を入力文字として決定する入力文字決定処理と、
を実行させることを特徴とする仮名文字入力プログラム。
【請求項８】
表示画面に対するタッチの有無およびタッチ位置を検出可能なタッチパネルを用いて仮名文字を入力する仮名文字入力方法であって、
五十音のそれぞれの行を代表する仮名文字である代表文字を含む第１画像を前記タッチパネルに表示させ、
前記タッチパネルに前記第１画像が表示されている場合に、前記第１画像に含まれる何れかの代表文字の表示領域に対するタッチが検出されると、前記何れかの代表文字を起点として、前記何れかの代表文字が代表する行に含まれる仮名文字を一列に配置した第２画像を、前記タッチパネルの前記第１画像より前面に表示させ、
前記タッチパネルに前記第２画像が表示されている場合に、前記第２画像に含まれる何れかの仮名文字の表示領域で前記タッチパネルに対するタッチの解除が検出されると、前記何れかの仮名文字を入力文字として決定することを特徴とする仮名文字入力方法。
【発明の詳細な説明】
【技術分野】
【０００１】
本発明は、仮名文字入力装置、手続書類作成装置、会員登録システム、仮名文字入力プログラム、および仮名文字入力方法に関する。
【背景技術】
【０００２】
遊技場などにおける会員登録処理は、従来、手書きで会員情報が記入された入会申込書を受付に提出し、受付スタッフが会員情報を会員登録装置に手入力することによって行われていた。また、会員登録装置への入力作業の効率化のため、ＯＣＲ（Optical Character Recognition：光学式文字認識）が用いられる場合もある。例えば、特許文献１では、入会申込書のイメージをスキャナによりコンピュータに取り込み、記載されている記入情報を自動的に認識して、コンピュータ処理用のデータに変換するクレジットカード入会申込書イメージ処理システムが開示されている。
【先行技術文献】
【特許文献】
【０００３】
【特許文献１】特開２００５−５６０９９号公報
【発明の概要】
【発明が解決しようとする課題】
【０００４】
しかしながら、入会申込書に手書きで記入する従来の方法では、入会申込書への記入に時間がかかったり、誤字・脱字や判読困難な文字のために会員登録装置への入力に時間がかかったりして、入会希望者および受付スタッフの双方に大きな負担となっていた。
【０００５】
また、入会手続きを電子化し、入会希望者自身が会員登録装置への入力作業を行う場合、用いる入力装置によっては却って時間がかかってしまう場合もある。例えば、パソコンの操作に不慣れな入会希望者にとって、キーボードでの入力作業は効率が悪く、入会を躊躇させる可能性もあり得る。
【０００６】
一方、タッチパネル（タッチディスプレイ）を用いた入力装置は、操作方法の理解が比較的容易であり、近年広く用いられている。しかしながら、タッチパネルを用いた仮名文字の入力（その後の漢字変換を伴う入力を含む）には、ＡＴＭ（Automatic Teller Machine:現金自動預け払い機）のような公共の設備や、スマートフォンのような個人の電子機器などにおいて、様々な方法が存在している。そのため、一見して誰でも容易に操作方法を理解することができる仮名文字の入力方法は未だ確立されていない。
【課題を解決するための手段】
【０００７】
前述した課題を解決する主たる本発明は、表示画面に対するタッチの有無およびタッチ位置を検出可能なタッチパネルと、前記タッチパネルの表示画面を制御するとともに、前記タッチパネルから前記タッチの有無および前記タッチ位置を取得する制御部と、を備える仮名文字入力装置であって、前記制御部は、五十音のそれぞれの行を代表する仮名文字である代表文字を含む第１画像を前記タッチパネルに表示させ、前記タッチパネルに前記第１画像が表示されている場合に、前記第１画像に含まれる何れかの代表文字の表示領域に対するタッチが検出されると、前記何れかの代表文字を起点として、前記何れかの代表文字が代表する行に含まれる仮名文字を一列に配置した第２画像を、前記タッチパネルの前記第１画像より前面に表示させ、前記タッチパネルに前記第２画像が表示されている場合に、前記第２画像に含まれる何れかの仮名文字の表示領域で前記タッチパネルに対するタッチの解除が検出されると、前記何れかの仮名文字を入力文字として決定することを特徴とする仮名文字入力装置である。
【０００８】
本発明の他の特徴については、添付図面及び本明細書の記載により明らかとなる。
【発明の効果】
【０００９】
本発明によれば、容易に操作方法を理解することができる仮名文字入力装置を提供することができる。
【図面の簡単な説明】
【００１０】
【図１】本発明の一実施形態における会員登録システムおよび手続書類作成装置の構成を示す模式図である。
【図２】入会申込書作成装置１の初期画面の一例を示す図である。
【図３】名前入力画面の一例を示す図である。
【図４】各文字種のキーボード配置の一例を示す図である。
【図５】各代表文字キーをタッチした場合に展開表示されるひらがなキーの一例を示す図である。
【図６】ひらがな１文字の入力手順を説明する図である。
【図７】変換候補の選択手順を説明する図である。
【図８】住所入力画面の一例を示す図である。
【図９】住所入力画面の他の例を示す図である。
【図１０】署名登録画面の一例を示す図である。
【発明を実施するための形態】
【００１１】
本明細書および添付図面の記載により、少なくとも以下の事項が明らかとなる。
【００１２】
＝＝＝会員登録システムおよび手続書類作成装置の構成＝＝＝
以下、図１を参照して、本発明の一実施形態における会員登録システムおよび手続書類作成装置の構成について説明する。なお、以下においては、一例として、手続書類作成装置を用いて作成される手続書類が入会申込書である場合について説明する。
【００１３】
図１に示されている会員登録システムは、入会申込書５および会員カード６を介して会員登録処理を行うためのシステムであり、入会申込書（手続書類）作成装置１、会員登録装置２、および会員サーバ３を含んで構成されている。
【００１４】
入会申込書作成装置１は、制御部１１、タッチパネル１２、およびプリンタ１３を含んで構成されている。なお、制御部１１は、タッチパネル１２を制御するタッチパネル制御部としての機能と、プリンタ１３を制御するプリンタ制御部としての機能とを備え、これらの機能は、例えば、プロセッサに入会申込書（手続書類）作成プログラムを実行させることによって実現することができる。また、タッチパネル１２および（タッチパネル）制御部１１は、仮名文字の入力を受け付ける仮名文字入力装置としての機能を包含しており、当該機能は、例えば、プロセッサに仮名文字入力プログラムを実行させることによって実現することができる。
【００１５】
タッチパネル１２は、表示画面に対するタッチの有無およびタッチ位置を検出可能となっている。また、制御部１１は、タッチパネル１２の表示画面を制御するとともに、タッチパネル１２からタッチの有無およびタッチ位置を取得することによって、文字情報などの入力を受け付ける。さらに、制御部１１は、入力された情報に基づいて、入会申込書５に記載される会員情報を記録したＱＲコード（登録商標）５１を生成し、ＱＲコード５１を含む入会申込書５の印刷データを生成する。そして、プリンタ１３は、当該印刷データに従って入会申込書５を印刷する。
【００１６】
したがって、入会希望者は、タッチパネル１２を用いて会員情報を入力し、入会申込書５を印刷することができる。また、入会申込書５には、会員情報を記録したＱＲコード５１も印刷されている。そのため、会員登録装置２は、ＱＲコードリーダ２１を接続し、ＱＲコードの読み取りソフトをインストールしておくことによって、ＱＲコード５１を読み取って、容易に会員情報を取得することができる。さらに、会員登録装置２は、取得した会員情報を会員カード６の会員番号などと対応付けて会員サーバ３に登録する。そして、受付スタッフは、会員カード６を入会申込書５の控えとともに入会希望者に手渡し、会員登録処理を完了する。
【００１７】
このように、本実施形態の会員登録システムでは、入会希望者が入会申込書作成装置１を用いて入会申込書５を作成・印刷し、受付スタッフがＱＲコードリーダ２１を用いてＱＲコード５１を読み取るだけで、会員情報を会員サーバ３に登録することができる。なお、入会申込書作成装置１から会員登録装置２に会員情報をオンラインで送信することもできるが、本実施形態の会員登録システムは、ＱＲコードリーダ２１および読み取りソフトの追加が必要となるものの、既存の会員登録装置からの変更が最小限で済む。
【００１８】
＝＝＝手続書類作成装置の動作の具体例＝＝＝
以下、図２ないし図１０を適宜参照して、入会申込書（手続書類）作成装置１の動作の具体例について説明する。
【００１９】
図２は、入会申込書作成装置１のタッチパネル１２に表示される初期画面を示している。そして、初期画面上で登録開始ボタンＤ１の表示領域に対するタッチが検出されると、制御部１１は、タッチパネル１２に最初の入力画面（例えば名前入力画面）を表示させる。なお、入会希望者が各種会員情報を入力している間、画面下方の進行状況バーＤ２は、作業の進捗状況に応じた項目が順次ハイライト表示される。
【００２０】
図３は、名前入力画面を示している。名前入力画面の初期状態では、制御部１１は、キーボードとしてひらがなキーボードＤ４（第１画像）を表示させる（第１表示処理）。ひらがなキーボードＤ４には、「あ」、「か」、「さ」、「た」、「な」、「は」、「ま」、「や」、「ら」、「わ」の１０個の代表文字キーのほか、小文字や数字などを入力するためのいくつかのキーが配置されている。ここで、代表文字は、五十音の各行を代表するひらがなであり、本実施形態では、「あ行」、「か行」、「さ行」、「た行」、「な行」、「は行」、「ま行」、「や行」、「ら行」、および「わ行」のそれぞれにおける「あ段」のひらがなとなっている。
【００２１】
また、キーボードの種類（文字種）は、画面左方のキーボード選択ボタンＤ３のタッチによって切り替えられる。例えば図４に示すように、選択ボタンＤ７、Ｄ８、およびＤ９の表示領域に対するタッチが検出されると、制御部１１は、それぞれカタカナキーボード、大文字アルファベットキーボード、および小文字アルファベットキーボードをキーボードとして表示させる。なお、ひらがなキーボードＤ４とカタカナキーボードとは、仮名文字の種類が異なるだけで、その使用方法は同じであり、大文字／小文字アルファベットキーボードは、各アルファベットを直接タッチすることにより使用する。
【００２２】
さらに、ひらがなキーボードＤ４によってひらがなが入力されると、画面右方の変換候補リストＤ５に変換候補が表示され、候補選択スライドバーＤ６が使用可能となる。なお、変換候補リストＤ５および候補選択スライドバーＤ６についての詳細な説明は後述する。
【００２３】
前述したように、ひらがなキーボードＤ４には、五十音のうち各行を代表する１０個の代表文字キーのみが表示されている。そして、ひらがなキーボードＤ４上で、何れかの代表文字キーの表示領域に対するタッチが検出されると、制御部１１は、タッチされた代表文字キーが代表する行に含まれる（代表文字自体を含む）ひらがなキー（第２画像）を前面に重ねて表示させる（第２表示処理）。より具体的には、「あ段」の代表文字キーを起点として、「い段」、「う段」、「え段」、および「お段」の順に各ひらがなキーを一列（図５においては横一列）に配置して展開表示させる。ここで、各代表文字キーをタッチした場合に展開表示されるひらがなキーを図５に示す。
【００２４】
図５に示すように、「あ」キーＤ１０をタッチすると、そこから「い」、「う」、「え」、「お」キーＤ１１が一列に表示される。同様に、「な」キーＤ１８をタッチすると、そこから「に」、「ぬ」、「ね」、「の」キーＤ１９が一列に表示される。また、同様に、「ま」キーＤ２２をタッチすると、そこから「み」、「む」、「め」、「も」キーＤ２３が一列に表示される。また、同様に、「ら」キーＤ２６をタッチすると、そこから「り」、「る」、「れ」、「ろ」キーＤ２７が一列に表示される。なお、「や」キーＤ２４をタッチすると、そこから「ゆ」、「よ」キーＤ２５だけが一列に表示される。また、「わ」キーＤ２８をタッチすると、そこから「お」（または「を」）、「ん」キーＤ２９が一列に表示される。
【００２５】
ところで、「か行」、「さ行」、および「た行」には、それぞれに対応する濁音の行が存在し、「は行」には、対応する濁音の行および半濁音の行が存在する。本実施形態では、これら濁音や半濁音の行を代表する代表文字キーを表示させる代わりに、清音の代表文字キーの表示領域に対するタッチが検出されると、制御部１１は、清音の行に対応する濁音や半濁音の行に含まれるひらがなキーも一緒に展開表示させている。より具体的には、清音の行に含まれるひらがなキーを一列に配置するとともに、対応する濁音や半濁音の行に含まれるひらがなキーを、段ごとに隣接するように一列に配置して展開表示させる。
【００２６】
図５に示すように、「か」キーＤ１２をタッチすると、そこから「き」、「く」、「け」、「こ」キーが一列に表示されるとともに、それらの上段に、対応する濁音のひらがなキーが一列に表示される（Ｄ１３）。同様に、「さ」キーＤ１４をタッチすると、そこから「し」、「す」、「せ」、「そ」キーが一列に表示されるとともに、それらの上段に、対応する濁音のひらがなキーが一列に表示される（Ｄ１５）。また、同様に、「た」キーＤ１６をタッチすると、そこから「ち」、「つ」、「て」、「と」キーが一列に表示されるとともに、それらの上段に、対応する濁音のひらがなキーが一列に表示される（Ｄ１７）。なお、濁音のひらがなキーを清音のひらがなキーの下段に表示してもよい。
【００２７】
一方、「は」キーＤ２０をタッチすると、そこから「ひ」、「ふ」、「へ」、「ほ」キーが一列に表示されるとともに、それらの下段に、対応する濁音のひらがなキーが一列に表示され、上段に、対応する半濁音のひらがなキーが一列に表示される（Ｄ２１）。なお、清音のひらがなキー、濁音のひらがなキー、および半濁音のひらがなキーの上下関係は、適宜入れ替えてもよい。
【００２８】
このように、ひらがなキーボードＤ４には、各行を代表する１０個の代表文字キーしか表示されていないものの、各代表文字キーをタッチして、その行に含まれるひらがなキーを展開表示させることによって、五十音のすべてのひらがなが選択可能となる。そのため、各キーのサイズを大きくすることができ、視認性が高まるとともに、キーの総数が少なくなり、各キーの選択がしやすくなる。そして、展開表示されたひらがなキー上で、何れかのひらがなキーの表示領域でタッチの解除が検出されると、制御部１１は、当該タッチが解除された位置にあるキーのひらがなを入力文字として決定する（入力文字決定処理）。
【００２９】
例えば図６に示すように、「せ」を入力したい場合には、まず、「さ」（代表文字）キーＤ１４をタッチして、「さ行」に含まれる清音および濁音のひらがなキーＤ１５を展開表示させる。次に、画面にタッチしたまま指を右方向（横方向）にスライドさせ、「せ」キーＤ３０の位置で指を離す（タッチを解除する）ことによって、「せ」が入力文字として確定する。以下同様に、２文字目以降のひらがなも入力することができる。なお、指をスライドさせている間、現在タッチされているひらがなキーの色が変更される。
【００３０】
また、「あ段」のひらがな（例えば「た」）を入力したい場合には、代表文字（「た」）キーをタッチして、そのままスライドさせることなく指を離せばよい。さらに、展開表示されたひらがなキーの表示領域外まで指をスライドさせると、その展開表示が解除され、その際、指が他の代表文字（例えば「ま」）キーの表示領域にあれば、当該他の代表文字キーが代表する行（「ま行」）に含まれるひらがなキーが展開表示される。
【００３１】
制御部１１は、ひらがなが１文字以上入力される（入力文字として確定する）と、変換候補リストＤ５に、読みが入力されたひらがなで始まる前方一致の変換候補を表示させる。例えば図７に示すように、「あ」が入力された場合、変換候補リストＤ５には、読みが「あ」で始まる変換候補が表示される。また、２文字目以降のひらがなをさらに入力すると、変換候補リストＤ５に表示される変換候補を絞り込むことができる。
【００３２】
候補選択スライドバーＤ６は、上方のアップ領域Ｄ３１、下方のダウン領域Ｄ３２、および中間のスライド領域Ｄ３３に３分割されている。また、変換候補リストＤ５に表示されている変換候補は、アップ領域Ｄ３１をタッチしている間、順次上方向に移動し、ダウン領域Ｄ３２をタッチしている間、順次下方向に移動する。さらに、スライド領域Ｄ３３をタッチしたまま指を上方向または下方向にスライドさせることによって、指をスライドさせた速度に応じた速度で、変換候補が上方向または下方向に移動する。そして、変換候補リストＤ５に表示されている変換候補の何れかを選択（タッチ）することによって、変換が確定する。
【００３３】
このようにして、ひらがなキーボードＤ４と、変換候補リストＤ５および候補選択スライドバーＤ６とを用いて、名前を入力することができる。
【００３４】
図８および図９は、住所入力画面を示している。郵便番号を用いて住所選択を行う場合には、「郵便番号から検索」ボタンＤ３４をタッチしたうえで、郵便番号（数字）を入力する。また、地名を用いて住所選択を行う場合には、何れかの住所検索ボタン（例えば「住所検索（都道府県）」ボタンＤ３７）をタッチしたうえで、地名の読み（ひらがな）を入力する。そして、候補選択スライドバーＤ３６を用いて、選択候補リストＤ３５に表示された選択候補の何れかを選択（タッチ）することによって、選択が確定する。
【００３５】
以下同様に、各種キーボードによる文字入力や、候補リストからの選択を行うことによって、各種会員情報を入力することができる。また、会員情報の入力が完了すると、図１０に示すような署名登録画面が表示され、入会希望者は、画面上を指でなぞって署名を行う。そして、制御部１１は、入力された情報に基づいて、入会申込書５に記載される会員情報（署名を除く）を記録したＱＲコード５１を生成し、ＱＲコード５１を含む入会申込書５をプリンタ１３に印刷させる。
【００３６】
前述したように、仮名文字入力装置（タッチパネル１２および制御部１１）において、ひらがなキーボードＤ４（第１画像）に五十音の各行を代表する代表文字キーを表示し、何れかの代表文字キーがタッチされると、その行に含まれるひらがなキー（第２画像）を展開表示し、展開表示された何れかのひらがなキーでタッチが解除されると、その位置にあるキーのひらがなを入力文字として決定することによって、仮名文字入力装置の使用者は、代表文字キーをタッチし、必要に応じてタッチしたまま指を右方向（横方向）にスライドさせ、目的のひらがなキーの位置で指を離すという一定の動作でひらがな（仮名文字）の入力を行うことができるため、容易に操作方法を理解することができる。
【００３７】
また、ひらがなキーボードＤ４に清音の代表文字キーのみを表示し、何れかの代表文字キーがタッチされると、清音の行に含まれるひらがなキーを一列に配置するとともに、対応する濁音や半濁音の行に含まれるひらがなキーを、段ごとに隣接するように一列に配置して展開表示させることによって、濁音や半濁音の行を代表する代表文字キーを表示させなくても濁音や半濁音のひらがなを入力することができる。そのため、ひらがなキーボードＤ４の各キーのサイズを大きくすることができ、視認性が高まるとともに、キーの総数が少なくなり、各キーの選択がしやすくなる。
【００３８】
また、より具体的に、ひらがなキーボードＤ４に「あ」、「か」、「さ」、「た」、「な」、「は」、「ま」、「や」、「ら」、「わ」の１０個の代表文字キーを表示し、何れかの代表文字キーがタッチされると、「あ段」の代表文字キーを起点として、「い段」、「う段」、「え段」、および「お段」の順に各ひらがなキーを横一列に配置して展開表示させることによって、一般的な五十音の順序でひらがなキーが表示されるため、より容易に操作方法を理解することができる。
【００３９】
また、手続書類作成装置（入会申込書作成装置１）において、上記の仮名文字入力装置としての機能を包含することによって、手続書類作成装置の使用者は、容易にひらがな（仮名文字）の入力方法を理解することができる。
【００４０】
また、入会申込書作成装置１において、入会希望者が入力した情報に基づいて、入会申込書５に記載される会員情報を記録したＱＲコード５１を生成し、ＱＲコード５１を含む入会申込書５をプリンタ１３に印刷させることによって、ＱＲコード５１を読み取って、容易に会員情報を取得することができる。
【００４１】
また、図１に示した会員登録システムにおいて、会員登録装置２にＱＲコードリーダ２１を接続し、ＱＲコードの読み取りソフトをインストールしておくことによって、入会希望者が入会申込書作成装置１を用いて入会申込書５を作成・印刷し、受付スタッフがＱＲコードリーダ２１を用いてＱＲコード５１を読み取るだけで、会員情報を会員サーバ３に登録することができる。
【００４２】
また、仮名文字入力装置のプロセッサに、第１表示処理、第２表示処理、および入力文字決定処理を実行させる仮名文字入力プログラムにおいて、ひらがなキーボードＤ４に代表文字キーを表示し、何れかの代表文字キーがタッチされると、ひらがなキーを展開表示し、展開表示された何れかのひらがなキーでタッチが解除されると、その位置にあるキーのひらがなを入力文字として決定することによって、仮名文字入力装置の使用者は、代表文字キーをタッチし、必要に応じてタッチしたまま指を右方向にスライドさせ、目的のひらがなキーの位置で指を離すという一定の動作でひらがな（仮名文字）の入力を行うことができるため、容易に操作方法を理解することができる。
【００４３】
また、タッチパネル１２に代表文字キーを配置したひらがなキーボードＤ４を表示させ、何れかの代表文字キーがタッチされると、ひらがなキーを展開表示させ、展開表示された何れかのひらがなキーでタッチが解除されると、その位置にあるキーのひらがなを入力文字として決定することによって、代表文字キーをタッチし、必要に応じてタッチしたまま指を右方向にスライドさせ、目的のひらがなキーの位置で指を離すという、理解しやすい一定の動作でひらがな（仮名文字）の入力を行うことができる。
【００４４】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４５】
１          入会申込書作成装置
２          会員登録装置
３          会員サーバ
５          入会申込書
６          会員カード
１１        制御部
１２        タッチパネル
１３        プリンタ
２１        ＱＲコードリーダ
５１        ＱＲコード
【図１】
2013232865.tif 000003
【図２】
2013232865.tif 000004
【図３】
2013232865.tif 000005
【図４】
2013232865.tif 000006
【図５】
2013232865.tif 000007
【図６】
2013232865.tif 000008
【図７】
2013232865.tif 000009
【図８】
2013232865.tif 000010
【図９】
2013232865.tif 000011
【図１０】
2013232865.tif 000012